【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
外部に設置されたメンテナンス用管理装置にネットワークを介して接続可能な臨床検体処理装置であって、
前記臨床検体処理装置の所定の動作の動作検出信号に基づく数値と、前記所定の動作が正常状態であるか否かの基準となる第１のしきい値とを比較する比較手段と、
前記動作検出信号に基づく数値が前記第１のしきい値を超えた場合に、前記臨床検体処理装置が正常状態に比べて将来故障する可能性の高い警告状態にあることを示す警告情報を、前記ネットワークを介して、前記メンテナンス用管理装置に送信する送信手段とを備えた、臨床検体処理装置。
【請求項２】
前記比較手段は、前記動作検出信号に基づく数値と、前記第１のしきい値および前記臨床検体処理装置の所定の動作が異常状態であるか否かの基準となる第２のしきい値とを比較し、
前記送信手段は、前記動作検出信号に基づく数値が前記第１のしきい値と前記第２のしきい値との間にある場合に、前記警告情報を、前記ネットワークを介して、前記メンテナンス用管理装置に送信する、請求項１に記載の臨床検体処理装置。
【請求項３】
前記比較手段は、前記動作検出信号に基づく数値と、前記臨床検体処理装置の所定の動作が異常状態であるか否かの基準となる第２のしきい値とを比較し、
前記送信手段は、前記動作検出信号に基づく数値が前記第２のしきい値を超えた場合に、前記臨床検体処理装置が前記異常状態にあることを示す異常情報を、前記ネットワークを介して、前記メンテナンス用管理装置に送信する、請求項１または２に記載の臨床検体処理装置。
【請求項４】
表示部と、
前記動作検出信号に基づく数値が前記第２のしきい値を超えた場合には、前記異常情報を前記表示部に表示させ、前記動作検出信号に基づく数値が前記第１のしきい値と前記第２のしきい値との間にある場合には、前記警告情報を前記表示部に表示させない表示制御手段とをさらに備える請求項３に記載の臨床検体処理装置。
【請求項５】
前記臨床検体処理装置の少なくとも前記警告情報を収集するコンピュータをさらに備え、
前記送信手段は、前記コンピュータに設けられている、請求項１〜４のいずれか１項に記載の臨床検体処理装置。
【請求項６】
前記送信手段は、前記臨床検体処理装置の少なくとも前記警告情報を、電子メールを用いて、前記メンテナンス用管理装置に送信する、請求項１〜５のいずれか１項に記載の臨床検体処理装置。
【請求項７】
前記送信手段は、前記臨床検体処理装置の少なくとも前記警告情報を、所定のタイミングで、前記ネットワークを介して前記メンテナンス用管理装置に送信する、請求項１〜６のいずれか１項に記載の臨床検体処理装置。
【請求項８】
前記異常状態が緊急にメンテナンスを行う必要のある緊急状態であるか否かを判定する判定手段をさらに備え、
前記送信手段は、前記判定手段が前記異常状態が前記緊急状態であると判定した場合には、前記所定のタイミングを待たずに異常情報を前記メンテナンス用管理装置に送信する請求項７記載の臨床検体処理装置。
【請求項９】
前記送信手段は、前記臨床検体処理装置の少なくとも前記警告情報を、前記臨床検体処理装置の起動時またはシャットダウン時に、前記ネットワークを介して前記メンテナンス用管理装置に送信する、請求項１〜８のいずれか１項に記載の臨床検体処理装置。
【請求項１０】
前記臨床検体処理装置の動作検出信号に基づく数値は、動作監視時間、および、動作タイミング信号に基づく数値の少なくとも一方を含む、請求項１〜９のいずれか１項に記載の臨床検体処理装置。
【請求項１１】
前記動作監視時間は、前記臨床検体処理装置の所定の動作の開始を起点として、スイッチ手段がオン状態またはオフ状態に切り替わるまでに要した時間である、請求項１０に記載の臨床検体処理装置。
【請求項１２】
外部に設置されたメンテナンス用管理装置と、
前記メンテナンス用管理装置にネットワークを介して接続可能な臨床検体処理装置と、
前記臨床検体処理装置の所定の動作の動作検出信号に基づく数値と、前記所定の動作が正常状態であるか否かの基準となる第１のしきい値とを比較する比較手段と、
前記動作検出信号に基づく数値が前記第１のしきい値を超えた場合に、前記臨床検体処理装置が正常状態に比べて将来故障する可能性の高い警告状態にあることを示す警告情報を、前記ネットワークを介して、前記メンテナンス用管理装置に送信する送信手段とを備えた、臨床検体処理システム。
【請求項１３】
前記比較手段は、前記動作検出信号に基づく数値と、前記第１のしきい値および前記臨床検体処理装置の所定の動作が異常状態であるか否かの基準となる第２のしきい値とを比較し、
前記送信手段は、前記動作検出信号に基づく数値が前記第１のしきい値と前記第２のしきい値との間にある場合に、前記警告情報を、前記ネットワークを介して、前記メンテナンス用管理装置に送信する、請求項１２に記載の臨床検体処理システム。
【手続補正２】
【補正対象書類名】明細書
【補正対象項目名】０００７
【補正方法】変更
【補正の内容】
【０００７】
この第１の局面による臨床検体処理装置では、上記のように、臨床検体処理装置の所定の動作の動作検出信号に基づく数値と、臨床検体処理装置の所定の動作が正常状態であるか否かの基準となる第１のしきい値とを比較する比較手段を設けることによって、その比較手段により、臨床検体処理装置が正常状態に比べて将来故障する可能性の高い警告状態にあると判断することができる。また、臨床検体処理装置が正常状態に比べて将来故障する可能性の高い警告状態にあることを示す警告情報を、ネットワークを介して、外部に設置されたメンテナンス用管理装置に送信する送信手段を設けることによって、その送信手段により、メンテナンス用管理装置が設置されたメンテナンス会社は、臨床検体処理装置が警告状態にあることを認識することができる。これによって、臨床検体処理装置が故障する前の段階で適切なメンテナンスを行うことができるので、臨床検体処理装置に故障が発生するのを未然に抑制することができる。その結果、臨床検体処理装置の故障回数を減少させることができるので、装置の異常（故障）に起因する装置の停止回数を減少させることができる。
【手続補正３】
【補正対象書類名】明細書
【補正対象項目名】０００８
【補正方法】変更
【補正の内容】
【０００８】
上記第１の局面による臨床検体処理装置において、好ましくは、比較手段は、動作検出信号に基づく数値と、第１のしきい値および臨床検体処理装置の所定の動作が異常状態であるか否かの基準となる第２のしきい値とを比較し、送信手段は、動作検出信号に基づく数値が第１のしきい値と第２のしきい値との間にある場合に、警告情報を、ネットワークを介して、メンテナンス用管理装置に送信する。このように構成すれば、容易に、比較手段により、臨床検体処理装置が正常状態に比べて将来故障する可能性の高い警告状態にあると判断することができるとともに、送信手段により、臨床検体処理装置の警告情報を、外部に設置されたメンテナンス用管理装置に送信することができる。
【手続補正４】
【補正対象書類名】明細書
【補正対象項目名】０００９
【補正方法】変更
【補正の内容】
【０００９】
上記第１の局面による臨床検体処理装置において、好ましくは、比較手段は、動作検出信号に基づく数値と、臨床検体処理装置の所定の動作が異常状態であるか否かの基準となる第２のしきい値とを比較し、送信手段は、動作検出信号に基づく数値が第２のしきい値を超えた場合に、臨床検体処理装置が異常状態にあることを示す異常情報を、ネットワークを介して、メンテナンス用管理装置に送信する。このように構成すれば、比較手段により、臨床検体処理装置が警告状態にあることのみならず、異常状態にあることも判断することができるとともに、送信手段により、臨床検体処理装置の警告情報のみならず、異常情報も外部に設置されたメンテナンス用管理装置に送信することができる。
【手続補正５】
【補正対象書類名】明細書
【補正対象項目名】００１８
【補正方法】変更
【補正の内容】
【００１８】
この発明の第２の局面による臨床検体処理システムは、外部に設置されたメンテナンス用管理装置と、メンテナンス用管理装置にネットワークを介して接続可能な臨床検体処理装置と、臨床検体処理装置の所定の動作の動作検出信号に基づく数値と、所定の動作が正常状態であるか否かの基準となる第１のしきい値とを比較する比較手段と、動作検出信号に基づく数値が第１のしきい値を超えた場合に、臨床検体処理装置が正常状態に比べて将来故障する可能性の高い警告状態にあることを示す警告情報を、ネットワークを介して、メンテナンス用管理装置に送信する送信手段とを備えている。
【手続補正６】
【補正対象書類名】明細書
【補正対象項目名】００１９
【補正方法】変更
【補正の内容】
【００１９】
この第２の局面による臨床検体処理システムでは、上記のように、臨床検体処理装置の所定の動作の動作検出信号に基づく数値と、臨床検体処理装置の所定の動作が正常状態であるか否かの基準となる第１のしきい値とを比較する比較手段を設けることによって、その比較手段により、臨床検体処理装置が正常状態に比べて将来故障する可能性の高い警告状態にあると判断することができる。また、臨床検体処理装置が正常状態に比べて将来故障する可能性の高い警告状態にあることを示す警告情報を、ネットワークを介して、外部に設置されたメンテナンス用管理装置に送信する送信手段を設けることによって、その送信手段により、メンテナンス用管理装置が設置されたメンテナンス会社は、臨床検体処理装置が警告状態にあることを認識することができる。これによって、臨床検体処理装置が故障する前の段階で適切なメンテナンスを行うことができるので、臨床検体処理装置に故障が発生するのを未然に抑制することができる。その結果、臨床検体処理装置の故障回数を減少させることができるので、装置の異常（故障）に起因する装置の停止回数を減少させることができる。
【手続補正７】
【補正対象書類名】明細書
【補正対象項目名】００２０
【補正方法】変更
【補正の内容】
【００２０】
上記第２の局面による臨床検体処理システムにおいて、好ましくは、比較手段は、動作検出信号に基づく数値と、第１のしきい値および臨床検体処理装置の所定の動作が異常状態であるか否かの基準となる第２のしきい値とを比較し、送信手段は、動作検出信号に基づく数値が第１のしきい値と第２のしきい値との間にある場合に、警告情報を、ネットワークを介して、メンテナンス用管理装置に送信する。このように構成すれば、容易に、比較手段により、臨床検体処理装置が正常状態に比べて将来故障する可能性の高い警告状態にあると判断することができるとともに、送信手段により、臨床検体処理装置の警告情報を、外部に設置されたメンテナンス用管理装置に送信することができる。